(57)【要約】【課題】  顔認証において、膨大な顔認証データを認証端末に置くことなく、かつ認証時にサーバとの通信を行うことなく速やかに認証の行える顔認証システムを実現する。【解決手段】  入場者の顔認証データを、入場が許可されている時間帯の開始時にサーバより顔認証端末装置へ送り、入場が許可されている時間帯の終了時に顔認証端末装置から削除されることにより、顔認証端末装置だけで入場者の認証を行うようにする。【選択図】図１
2015198442.tif 000002
【特許請求の範囲】
【請求項１】
１または複数の顔認証端末装置がネットワーク経由でサーバに接続され、サーバにある入場者の顔認証データを基に、上記顔認証端末装置が入場者の認証を行う顔認証システムにおいて
上記サーバは、入場者の入場が許可されている時間の開始時刻に、上記サーバから当該入場者の顔認証データを上記顔認証端末装置に送り、
入場許可時間中は上記顔認証端末装置が入場者の認証を行い、
当該時間の終了時刻が経過すると、サーバが当該入場者の顔認証データを上記顔認証端末装置から削除することを特徴とする認証システム。
【請求項２】
上記請求項１において、
当該時間の終了時刻が経過すると、認証端末側で当該入場者の顔認証データを上記顔認証端末装置から削除することを特徴とする請求項１記載の認証システム。
【発明の詳細な説明】
【技術分野】
【０００１】  本発明は、利用者を認証して所定の出入口又は所定領域への入退室を管理する装置に関するものである。
【背景技術】
【０００２】  オフィスビル、マンション、病院などの入場が制限される入場制限エリアのエントランス等において入場管理にはさまざまな方法がとられてきた。【０００３】  このような場面においては、古くは暗証番号、ＩＤカードなどによる認証が多く使われるのが一般的であった。【０００４】  しかし、暗証番号はあまり長いと覚えきれず使い勝手が悪くなり、短いと盗まれやすいというジレンマがあり、一方ＩＤカードは、本人が持参している限りにおいては信頼できるが紛失、盗難や貸し借りによる成りすましというリスクがある。
また、暗証番号やＩＤカードは手による操作が必要であり、荷物などで手が塞がっている場合などは不便である。【０００５】  これに対し、最近ではより安全な簡便な本人認証として生体認証が普及し始め、とくに顔による認証の使い勝手の良さに注目が集まっている。【０００６】  しかし顔認証は、認証に時間がかかる、認証データが大きいなどの問題点が指摘されてきた。これは多くの場合、１人当たりの認証データが大きいことに加え、認証端末が離れたサーバにある膨大な量の認証データを照会しているのが原因であった。
【先行技術文献】
【特許文献】
【０００７】
【特許文献１】特開２０１１−２０５３０８号公報
【特許文献２】特開２０１３−７７０６８号公報
【発明の概要】
【発明が解決しようとする課題】
【０００８】  特許文献１は、本来不要な画像のみを記憶しないようにしてメモリの有効利用を図ることができるインターホンシステムを提供する。
具体的には、集合玄関機から呼出があるときに撮像された録画画像を記憶する集合玄関用画像記憶部と、ドアホンから呼出があるときに撮像された録画画像を記憶するドアホン用画像記憶部と、集合玄関用画像記憶部に記憶された録画画像とドアホン用画像記憶部に記憶された録画画像に基づいて両画像が同一人物の画像であるかどうかを判定する顔認証部と、顔認証部によって同一人物の画像であると判定されたときにドアホン用画像記憶部に記憶された録画画像を消去する画像消去部を備える。【０００９】  特許文献２は、自動更新登録による認証精度の低下を抑制するとともに安定した認証精度を得ることを課題とする。
顔画像検出部によって検出された顔画像データに対する利用者が登録済みであると顔認証され、かつ、該顔認証された利用者に対応する顔認証データベース内の格納領域に空きがない場合に、該格納領域内の各顔画像データに対応して格納され過去の顔認証の決定に用いられた顔画像データの利用度を示す認証利用度が所定のしきい値以下であり、かつ、最も古い顔画像データを顔認証データベースから削除し、前記検出された顔画像データを顔認証データベースに更新登録する。【００１０】  特許文献１は、集合玄関のインターホンにおける顔画像とドアホンからの顔画像を比較するための画像データの管理において、メモリの有効利用を図ることができるインターホンシステムを提供することを目的としており、不特定多数の来客が対象であり、本発明とは課題を異にする。【００１１】  一方特許文献２は、撮像装置で利用者の顔部分を撮像して得られる顔画像データを利用者識別情報に関連付けて顔認証データベースに自動更新登録する場合に、自動更新登録による認証精度の低下を抑制するとともに安定した認証精度を得ることができる顔認証データベース管理方法、顔認証データベース管理装置及び顔認証データベース管理プログラムを提供することを目的としており、こちらも本発明とは異なった課題を扱っている。
【課題を解決するための手段】
【００１２】  上記文献では、顔認証における、処理の改善やデータ量の削減などの提案がされているが、本発明においては、ネットワークのサーバ上にある利用者の顔認証データを認証端末側で適時効率よく利用する提案であり、上記問題を解決するために本発明の請求項１は、
１または複数の顔認証端末装置がネットワーク経由でサーバに接続され、サーバにある入場者の顔認証データを基に、上記顔認証端末装置が入場者の認証を行う顔認証システムにおいて、
上記サーバは、入場者の入場が許可されている時間の開始時刻に、上記サーバから当該入場者の顔認証データを上記顔認証端末装置に送り、
入場許可時間中は上記顔認証端末装置が入場者の認証を行い、
当該時間の終了時刻が経過すると、サーバが当該入場者の顔認証データを上記顔認証端末装置から削除することを特徴とする認証システムである。【００１３】  また本発明の請求項２は請求項１において、当該時間の終了時刻が経過した際の顔認証データの削除を、サーバの介在なく端末装置だけで行うというものである。
【発明の効果】
【００１４】  これまで、顔認証は、認証の度に認証端末からセンタサーバへデータを問い合わせ、膨大な利用者データから１人の利用者を特定して認証していたため、認証に時間がかかっていた。また、この欠点を補うために認証データを各端末に配置しようとしても、顔認証のデータ量が多すぎて、利用者全員のデータを認証端末へ配置するには難しいものがあった。【００１５】  この発明によれば、例えば利用者が入室する際の認証作業は、認証端末に閉じた作業となり、いちいちサーバに問い合わせる手間がないため処理の高速化を図ることができる。
さらに、利用者の顔認証データは、認証可能な時間だけ、かつ当該利用者が利用できるドアの認証端末だけに配置しておくことで、個々の認証端末のデータ容量を抑えて安価な端末にすると同時に、少ないデータからの検索することで認証時間の高速化が実現できる。
【図面の簡単な説明】
【００１６】
【図１】は、本発明で使用される認証システムを示したシステム構成図である。
【発明を実施するための形態】
【００１７】  顔認証端末２はＬＡＮ３を経由してサーバ１に接続されている。利用者Ａ，利用者Ｂの顔認証データはサーバ１にある。
【００１８】  利用者Ａは９：００〜１７：００の間、入室を許可する利用者であり、利用者Ｂは１２：００〜１３：００の間、入室を許可する利用者とする。
【００１９】  ９：００以前は、利用者Ａ，利用者Ｂともに入室を許可されていないため、それまでは顔認証端末２内にそのユーザの情報はない。この状態で、利用者Ａ、利用者Ｂとも顔認証端末２に近寄って認証しようとしても顔認証端末２に利用者Ａ、利用者Ｂとも認証できない。
【００２０】９：００になると、サーバ１はその利用者Ａのデータを顔認証端末２に配信する。
これにより当該利用者Ａが顔認証できるようになる。このとき、利用者Ｂの顔認証データはまだ送られないため、利用者Ｂの認証はできない。
【００２１】  同様に１２：００になると利用者Ｂの顔認証データが顔認証端末２におくられ、利用者Ｂの認証ができるようになる。
【００２２】  サーバ１は、１３：００になると利用者Ｂの顔認証データを顔認証端末２より削除することにより、１３：００以降利用者Ｂの認証はできなくなる。
同様に、１７：００になるとサーバ１は利用者Ａの顔認証データを顔認証端末２より削除する
【産業上の利用可能性】
【００２３】  何万人もの社員を抱える大企業であっても、特定のドアを通過する社員は限られているものである。ドアを通過するたびに、集中管理されている全社員のデータの中から検索するよりも、通過が許可されているドアの認証端末だけ、許可されている時間だけに当該社員データがあるのが合理的といえる。
本実施例では顔認証に限定した説明となっているが、他のデータによる認証手段、特に一人のデータが大きい生体認証（指紋、虹彩、掌静脈、指静脈、手の甲静脈、掌形など）への広範な応用が可能である。【００２４】  １    サーバ
２    顔認証端末
３    ＬＡＮ
【図１】
2015198442.tif 000003